(57)【特許請求の範囲】
【請求項１】
使用者の所望温度に対応する選択信号の入力を受けてモータを駆動するための回転制御信号を出力し、ベーンに連結された第１、第２モータの駆動時に、強制運転モードが設定されると、前記第１モータに連結された１対のベーンが揺動して吐出口を遮断する間、前記第２モータに連結された他の１対のベーンが揺動して吐出口を開放し、所定時間が経過すると、前記吐出口を遮断及び開放する動作を反対に制御することを特徴とする天井型エアコンのベーン制御方法。
【請求項２】
前記選択信号は、使用者の所望温度に従って暖房運転モード及び冷房運転モード中何れか一つが選択されて出力される出力信号であることを特徴とする請求項１記載の天井型エアコンのベーン制御方法。
【請求項３】
前記ベーン制御は、強制運転モードが設定されていないか、又は、解除されると、それぞれのベーンが同時に吐出口を開放又は遮断するように制御することを特徴とする請求項１記載の天井型エアコンのベーン制御方法。
【請求項４】
使用者の所望温度に対応する選択信号の入力を受けてモータを駆動するための回転制御信号を出力し、ベーンに連結された第１、第２モータの駆動時に、現在の室内温度が快速暖房運転のために設定された温度より低い場合、前記第１モータに連結された１対のベーンが揺動して吐出口を遮断する間、前記第２モータに連結された他の一対のベーンが揺動して吐出口を開放し、所定時間が経過すると、前記吐出口を遮断及び開放する動作を反対に制御することを特徴とする天井型エアコンのベーン制御方法。
【請求項５】
前記吐出口が開放された時、前記ベーンを垂直方向に対して６０°の角度に傾斜させるように前記第２モータを制御することを特徴とする請求項１又は請求項４に記載の天井型エアコンのベーン制御方法。
【請求項６】
前記ベーンの制御は、吐出口の開放時間が吐出口の遮断時間よりも長くなるように行われることを特徴とする請求項１又は請求項４に記載の天井型エアコンのベーン制御方法。
【請求項７】
前記ベーンの制御は、前記ベーンの揺動中または前記ベーンの揺動開始前の所定時間の間、前記吐出口から室内に吐出気流を生成する送風ファンの回転速度を所定値減少させることを特徴とする請求項１又は請求項４に記載の天井型エアコンのベーン制御方法。
【請求項８】
前記第１、第２モータは複数個に構成され、それら複数個のモータに対応して複数個のベーン及び吐出口が備えられることを特徴とする請求項１又は請求項４に記載のエアコンのベーン制御方法。
【請求項９】
使用者によって冷房モードまたは暖房モードが選択される運転モード選択段階と、
前記運転モード選択段階で暖房運転モードが選択されると、現在の室内温度と快速暖房を行うために予め設定された温度とを比較する比較段階と、
前記比較結果、現在の室内温度が予め設定された温度よりも低いと、モータに連結された１対のベーンの吐出口を開放させ、他のモータに連結された他の１対のベーンの吐出口を遮断させて、前記開放された吐出口から吐出気流を吐出し、所定時間が経過すると、前記吐出口を遮断及び開放する動作を反対に制御して前記開放された吐出口から吐出気流を吐出させる快速暖房のためのベーン制御段階と、を順次行うことを特徴とする天井型エアコンのベーン制御方法。
【請求項１０】
前記運転モード選択段階で、冷房モードが選択されると、各ベーンが同時に吐出口を開放または遮断させる一般冷房を行うためのベーン制御が行われることを特徴とする請求項９記載の天井型エアコンのベーン制御方法。
【請求項１１】
前記比較段階で、現在の室内温度が予め設定された温度よりも高いと、各ベーンが同時に吐出口を開放または遮断させる一般暖房を行うためのベーン制御が行われることを特徴とする請求項９記載の天井型エアコンのベーン制御方法。
【請求項１２】
前記快速暖房のためのベーン制御段階を行った後、現在の室内温度が前記予め設定された温度以上であるかを再び比較し、その結果、現在の室内温度が前記設定温度以上であると、前記快速暖房を解除し、各ベーンが同時に吐出口を開放または遮断させる一般暖房が行われることを特徴とする請求項９記載の天井型エアコンのベーン制御方法。
【請求項１３】
前記快速暖房のためのベーン制御段階で、前記ベーンの制御は、吐出気流を吐出する吐出口の開放時間が遮断時間よりも長くなるようにベーンを制御することを特徴とする請求項９記載の天井型エアコンのベーン制御方法。
【請求項１４】
前記快速暖房のためのベーン制御段階で、前記ベーンの制御は、前記ベーンの揺動中、または、前記ベーンの揺動開始前の所定時間の間、前記吐出気流を生成する送風ファンの回転速度を所定値減少させることを特徴とする請求項９記載の天井型エアコンのベーン制御方法。
【請求項１５】
前記複数のベーンは２つのグループに分割され、それらベーンに対応してそれぞれ吐出口が備えられ、前記１つのグループの各ベーンがそれらの吐出口を遮断する間、他のグループの各ベーンはそれらの吐出口を開放させることを特徴とする請求項９記載の天井型エアコンのベーン制御方法。
【請求項１６】
冷房運転または暖房運転を行うための所望温度を選択して、それらに該当する選択信号を出力する運転モード選択部と、
前記選択信号の入力を受けて一方側モータに連結された１対のベーンを揺動させて吐出口を遮断する間、他方側モータに連結された１対のベーンを揺動させて吐出口を開放する動作を行なうための回転制御信号を出力するマイクロプロセッサと、
前記回転制御信号の入力を受けてモータを駆動させてベーンを制御するベーン駆動部と、を備え、
前記回転制御信号は、現在の室内温度が快速暖房運転のために設定された温度より低い場合、所定時間が経過した後、前記吐出口を遮断及び開放する動作を反対に制御し、現在の室内温度が快速暖房運転のために設定された温度より高い場合、それぞれのベーンが同時に吐出口を開放又は遮断するように制御する信号であることを特徴とする天井型エアコンのベーン制御装置。
【請求項１７】
室内空気を吸入し得るように天井型エアコンの底面中央部に穿孔形成された吸入口及びその側方に穿孔形成されて生成気流を吐出させる吐出口と、前記各吐出口から室内に吐出気流を吐出する送風ファンと、前記各吐出口の側方にヒンジ軸支されてそれら吐出口をそれぞれ開閉させるベーンと、を追加包含することを特徴とする請求項１６記載の天井型エアコンのベーン制御装置。
【請求項１８】
前記マイクロプロセッサは、前記ベーンの揺動中、または、前記ベーンの揺動開始前の所定時間の間、吐出気流を生成する前記送風ファンの回転速度を所定値減少させるために前記ベーン駆動部を制御することを特徴とする請求項１７記載の天井型エアコンのベーン制御装置。
【請求項１９】
前記ベーン駆動部は、前記マイクロプロセッサから回転制御信号の入力を受けて駆動されるように１対のベーン間に係合された複数個のモータと、前記各モータ側に係合されて該モータの回転比を調節する伝動ギアと、前記各ベーンと伝動ギアとを所定角度有するように連結させて駆動力を伝達する連結部材と、を備えて構成されることを特徴とする請求項１６記載の天井型エアコンのベーン制御装置。
【請求項２０】
前記マイクロプロセッサは、吐出気流を吐出する吐出口の開放時間が遮断時間よりも長くなるように前記ベーン駆動部を制御することを特徴とする請求項１６記載の天井型エアコンのベーン制御装置。
【請求項２１】
前記マイクロプロセッサは、暖房モードが選択されたとき、前記ベーンが垂直方向に対して６０°の角度に傾斜されるように前記ベーン駆動部を制御することを特徴とする請求項１６記載の天井型エアコンのベーン制御装置。
【請求項２２】
前記モータは、入力パルス数に比例して回転角が変位され、入力周波数に比例して回転速度が変化されるステッピングモータであることを特徴とする請求項１６記載の天井型エアコンのベーン制御装置。
【請求項２３】
室内空気を吸入し得るように底面中央部に穿孔形成された吸入口と、前記吸入口の側方に穿孔形成されて該吸入口から吸入された空気を室内に吐出する矩形状の第１〜第４吐出口と、を備えて天井に埋込まれるケーシングと、
前記ケーシングの内部中央に装着された回転軸に嵌合されて、前記吸入口から室内空気を吸入する送風ファンと、
前記送風ファンの周囲に配置されて、前記送風ファンにより吸入された空気を熱交換して前記各吐出口に伝達する室内熱交換器と、
前記各吐出口の側方にヒンジ軸支されてそれら吐出口をそれぞれ開閉させる第１〜第４ベーンと、
冷房運転または暖房運転を行う使用者所望温度を選択し、それに対応する選択信号を出力する運転モード選択部と、
前記選択信号の入力を受けて、一方側モータに連結された１対のベーンを揺動させて前記各吐出口を遮断する間、他方側モータに連結された他の１対のベーンを揺動させて前記各吐出口を開放するようにモータを駆動するための回転制御信号を出力するマイクロプロセッサと、
前記回転制御信号の入力を受けてモータを駆動して前記各ベーンを制御する第１、第２ベーン駆動部と、を備え、
前記回転制御信号は、現在の室内温度が快速暖房運転のために設定された温度より低い場合、所定時間が経過した後、前記吐出口を遮断及び開放する動作を反対に制御し、現在の室内温度が快速暖房運転のために設定された温度より高い場合、それぞれのベーンが同時に吐出口を開放又は遮断するように制御する信号であることを特徴とする天井型エアコンのベーン制御装置。
【請求項２４】
前記第１、第２ベーン駆動部は、相互隣接する１対のベーン間に連結されて該１対のベーンをそれぞれ一緒に揺動させる第１、第２連結部材と、前記各ベーンが該当の吐出口をそれぞれ開閉し得るように前記各連結部材をそれぞれ揺動させる第１、第２駆動モータと、前記各駆動モータに係合されて、それら駆動モータの回転力を前記各連結部材にそれぞれ伝達する伝動ギアと、を備えて構成されることを特徴とする請求項２３記載の天井型エアコンのベーン制御装置。
【請求項２５】
前記マイクロプロセッサは、前記第１、第２連結部材中何れか一つによって相互一緒に揺動するように連結された１対のベーンが該当の吐出口を完全に遮断してない状態で、他の１対のベーンが該当の吐出口を開放するように前記第１、第２ベーン駆動部をそれぞれ制御することを特徴とする請求項２４記載の天井型エアコンのベーン制御装置。
【請求項２６】
前記マイクロプロセッサは、暖房モードを行なう時、前記第１、第２連結部材によってそれぞれ連結された１対のベーンの開放時間が、それらベーンが該当の吐出口を完全に遮断した状態で存在する時間よりも長くなるように前記第１、第２ベーン駆動部を制御することを特徴をする請求項２４記載の天井型エアコンのベーン制御装置。
【請求項２７】
前記マイクロプロセッサは、前記各ベーンの開放時、それらベーンが垂直方向に対して６０°の角度傾斜されるように前記第１、第２ベーン駆動部を制御することを特徴とする請求項２３または２４記載の天井型エアコンのベーン制御装置。
【請求項２８】
前記マイクロプロセッサは、前記ベーンの揺動中、または、前記ベーンの揺動開始前の所定時間の間、前記送風ファンの回転速度を所定値減速させることを特徴とする請求項２３または２４記載の天井型エアコンのベーン制御装置。
【発明の詳細な説明】
【０００１】
【発明の属する技術分野】
本発明は、天井型エアコンに係るもので、詳しくは、ベーンを制御することで吐出口から吐出される気流の速度を強化し得る、天井型エアコンのベーン制御装置及びその制御方法に関するものである。
【０００２】
【従来の技術】
一般に、エアコンとは、快適な室内環境を造成するために、室内の温度、湿度、清浄度及び気流を適切に調節し得るように構成された装置であって、冷凍サイクルの構成要素を単一ケース内に収納して窓に設置される窓型エアコンと、冷凍サイクルの構成要素を室内器と室外器とに分離させたものとして、比較的小容量の分離型エアコンと比較的大容量のカスタム型エアコンと、に分類される。
最近、室内空間を效率的に活用するために天井に埋込設置される天井型エアコンが盛んに使用され、その一例として、冷媒の流れ方向を調節して冷房機能及び暖房機能を兼ねるようにした冷暖房兼用天井型エアコンがある。
【０００３】
そして、このような従来エアコンの冷凍サイクル構成要素においては、図７に示したように、冷媒を圧縮して高温高圧状態に変換させる圧縮機１と、該圧縮機１により圧縮された高温高圧状態の冷媒を液状に変換させながら内部潜熱を外部に放出させる凝縮器２と、該記凝縮器２により液体状態に変換された冷媒の圧力を低下させる膨脹機構３と、該膨脹機構３により膨脹された液体状態の冷媒を気体に蒸発させながら外部の熱を吸収する蒸発器４と、を包含して構成され、ここで、前記凝縮器２及び蒸発器４は、外部との熱交換を行うため、熱交換器と通称されている。
【０００４】
且つ、従来天井型エアコンの室内器においては、図８に示したように、室内空気を吸入し得るように底面中央部に貫通形成された吸入口２０と、該吸入口２０から吸入された空気を室内に吐出するための第１〜第４吐出口２１ａ〜２１ｄと、それら吐出口２１ａ〜２１ｄを開閉するための第１〜第４ベーン２２ａ〜２２ｄと、相互隣接する前記第１〜第４ベーン２２ａ〜２２ｄを一体に揺動させるために連結された連結部材２５と、前記第１〜第４ベーン２２ａ〜２２ｄが該当の前記第１〜第４吐出口２１ａ〜２１ｄをそれぞれ開閉し得るように前記連結部材２５を揺動させるモータ２３と、該モータ２３の揺動力を前記連結部材２５に伝達する伝動ギア２４と、を備えて構成されている。
【０００５】
そして、このように構成された従来の天井型エアコンは、吸入口２０を通って室内器に空気が吸入され、吸入された空気は熱交換器により熱交換が行われた後各吐出口２１ａ〜２１ｄを通って室内に吐出され、この時、モータ２３に連結されたエアコンの各ベーン２２ａ〜２２ｄが同時に揺動して該当の前記各吐出口２１ａ〜２１ｄをそれぞれ開放／閉鎖することで、エアコンの風向きまたは風量を調節し得るように構成されていた。
【０００６】
【発明が解決しようとする課題】
然るに、このような従来の天井型エアコンにおいては、例えば、冷房を行う場合、熱交換器を通過しながら冷却された空気を自然対流によって床面まで比較的円滑に到達させるが、一方、暖房を行う場合は、熱交換器を通過しながら温度が上昇された空気が床面まで到達されず、室内空間の中間または上部領域に主に存在するため、床面の温度を上昇させることが困難であった。従って、従来の天井型エアコンにおいては、床面まで暖房気流を到達させるためには長時間が掛ると共に、室内の床面全体の温度を均一に上昇させることができないという不都合な点があった。
【０００７】
また、その問題点を解決するために従来は送風ファンを大きく形成したり、または、送風ファンを高速回転させていたが、送風ファンのサイズを大きく構成するとエアコン全体構成費用が増加され、また、送風ファンを高速回転させると回転中に風量による騒音が大きく発生するという不都合な点があった。
本発明は、このような従来の課題に鑑みてなされたもので、ベーンを制御して吐出口から吐出される気流の速度を増大させることで、前記吐出気流を床面まで速やかに到達させる天井型エアコンのベーン制御装置及びその制御方法を提供することを目的とする。
【０００８】
そして、本発明の他の目的は、ベーンの揺動中またはベーンの揺動開始前の所定時間の間、吐出気流を生成する送風ファンの回転速度を所定値減少させることで、騷音を減少し得る天井型エアコンのベーン制御装置及びその制御方法を提供しようとする。
且つ、本発明のその他の目的は、ベーンの遮断／開放動作を行った後、所定時間が経過すると、ベーンを制御して吐出口の遮断／開放動作を反対に制御することで、室内全体の床面温度を均一に上昇し得る、天井型エアコンのベーン制御装置及びその制御方法を提供しようとする。
【０００９】
【課題を解決するための手段】
このような目的を達成するため、本発明に係る天井型エアコンのベーン制御装置においては、冷房運転または暖房運転を行うために使用者所望の温度を選択し、該当の選択信号を出力する運転モード選択部と、前記選択信号の入力を受けて一方側モータに連結された１対のベーンを揺動させて吐出口を遮断する間、他方側モータに連結された１対のベーンを揺動させて吐出口を開放する一連の動作を行なうための回転制御信号を出力するマイクロプロセッサと、前記出力された回転制御信号の入力を受けてモータを駆動させることでベーンを制御するベーン駆動部と、を備えて構成されることを特徴とする。
【００１０】
そして、前記目的を達成するため、本発明に係る天井型エアコンのベーン制御方法においては、使用者の所望温度に対応する選択信号の入力を受けてモータを駆動するための回転制御信号を出力し、ベーンに連結された第１、第２モータの駆動時に、前記第１モータに連結された１対のベーンが揺動して吐出口を遮断する間、前記第２モータに連結された他の１対のベーンが揺動して吐出口を開放することを特徴とする。
【００１１】
【発明の実施の形態】
以下、本発明の実施の形態に対し、図面を用いて説明する。
本発明に係るベーン制御装置が適用される天井型エアコンにおいては、図１〜図４に示したように、室内空気を吸入し得るように底面中央部に穿孔形成された吸入口３３と、該吸入口３３から吸入された空気を室内に吐出するために該吸入口３３の側方にそれぞれ矩形状に穿孔形成された第１〜第４吐出口３１ａ〜３１ｄと、を備えて天井に埋込設置されるケーシング３５と、該ケーシング３５の内側中央部に装着された回転軸に軸支されることで回転しながら前記吸入口３３から室内空気を吸入する送風ファン３４と、該送風ファン３４の外周側に配置され、前記送風ファン３４から吸入された空気を熱交換して前記各吐出口３１ａ〜３１ｄに伝達する室内熱交換器３０と、前記第１〜第４吐出口３１ａ〜３１ｄをそれぞれ開閉させるためそれら吐出口３１ａ〜３１ｄにヒンジ軸支された第１〜第４ベーン３２ａ〜３２ｄと、冷房運転または暖房運転を行うための使用者の所望温度を選択し、それに対応する選択信号を出力する運転モード選択部４４と、前記選択信号の入力を受けて後述する第１モータ３７に連結された前記第１、第４ベーン３２ａ、３２ｄを揺動させて該当の前記第１、第４吐出口３１ａ、３１ｄを遮断させる間、後述する第２モータ４１に連結された前記第２、第３ベーン３２ｂ、３２ｃを揺動させて該当の前記第２、第３吐出口３１ｂ、３１ｃを開放させるモータ駆動する回転制御信号を出力するマイクロプロセッサ４５と、該マイクロプロセッサ４５から出力される前記回転制御信号の入力を受けて前記第１、第２モータ３７、４１を駆動することで前記各ベーン３２ａ〜３２ｄをそれぞれ制御する第１、第２ベーン駆動部３６、４０と、を備えて構成されている。
【００１２】
そして、前記第１、第２ベーン駆動部３６、４０は、相互隣接する１対のベーン（３２ａ、３２ｄ）、（３２ｂ、３２ｃ）に分割されて、その分割された各対のベーン（３２ａ、３２ｄ）、（３２ｂ、３２ｃ）間に連結された第１、第２連結部材３９、４３と、それら前記第１、第２連結部材３９、４３にそれぞれ連結された第１、第２モータ３７、４１と、それら第１、第２モータ３７、４１にそれぞれ係合されてそれら第１、第２モータ３７、４１の回転力を前記第１、第２連結部材３９、４３にそれぞれ伝達する伝動ギア３８、４２と、から構成されている。ここで、前記第１、第２モータ３７、４１としては、入力パルス数に比例して回転角が変位され、入力周波数に比例して回転速度が変化されるステッピングモータが使用される。
【００１３】
以下、このように構成された本発明に係る天井型エアコンのベーン制御装置の動作について説明する。
先ず、使用者が所望温度を運転モード選択部４４に入力すると、該使用者の所望温度に対応して暖房モードまたは冷房モードが選択されて選択信号が出力される。
例えば、エアコンが暖房モードに動作する場合、マイクロプロセッサ４５は、現在の室内温度と快速暖房を行うために予め設定された温度とを比較し、その結果、現在の室内温度が前記設定された温度よりも高いと一般暖房を行うが、現在の室内温度が前記設定された温度よりも低いと、冷たくなった室内温度を迅速に高めるために各吐出口３１ａ〜３１ｄから吐出される気流の速度を速くして快速暖房を行う。
【００１４】
即ち、前記マイクロプロセッサ４５は、前記快速暖房を行うための回転制御信号を第１、第２ベーン駆動部３６、４０に出力し、それらベーン駆動部３６、４０は第１モータ３７に連結された１対のベーン３２ａ、３２ｄを揺動させて該当の各吐出口３１ａ、３１ｄをそれぞれ遮断させると同時に、第２モータ４１に連結された１対のベーン３２ｂ、３２ｃを揺動させて該当の各吐出口３１ｂ、３１ｃをそれぞれ開放させ、その後、所定時間が経過すると、前記マイクロプロセッサ４５は、前記各ベーン３２ａ〜３２ｄの開閉動作を反対に制御するための回転制御信号を前記各ベーン駆動部３６、４０に出力して快速暖房を行う。
【００１５】
一方、現在の室内温度が予め設定された温度よりも高い場合は、前記マイクロプロセッサ４５は、快速暖房を遂行せず、一般暖房を行うための回転制御信号を出力し、また、使用者が一般冷房を行う場合にも、一般冷房を行うための回転制御信号を出力する。即ち、一般暖房または一般冷房の場合、前記マイクロプロセッサ４５は、前記各ベーン３２ａ〜３２ｄの揺動を同時に制御するための回転制御信号を前記各モータ３７、４１に出力することで、前記各ベーン駆動部３６、４０が同時に前記各吐出口３１ａ〜３１ｄを開閉する。
【００１６】
然し、エアコンが一般暖房または一般冷房を行う場合にも、前記快速暖房モードを選択する場合と同様に、強制的に前記各ベーン３２ａ〜３２ｄを制御することで、一般暖房または一般冷房を行うことができる。例えば、使用者が室外から室内に入って酷い寒さを感じたり、または、室内温度を短時間内に上げようとする時は、強制運転モードとして使用者が特定ボタンを操作して前記マイクロプロセッサ４５により制御される前記第１、第２モータ３７、４１を制御することで、一般暖房または一般冷房の場合でも前記快速暖房モードと同様に前記各ベーン３２ａ〜３２ｄを制御することができる。
【００１７】
詳しく説明すると、先ず、使用者が運転モード選択部４４により暖房モードを選択すると、マイクロプロセッサ４５は、第２吐出口３１ｂ及び第３吐出口３１ｃは遮断されて第１吐出口３１ａ及び第４吐出口３１ｄは開放されるように、第１駆動モータ３７に電源を印加する。
次いで、前記第１駆動モータ３７が回転を開始すると、該第１駆動モータ３７の回転力が伝動ギア３８によって第１連結部材３９に伝達され、該第１連結部材３９と一緒に第１ベーン３２ａ及び第４ベーン３２ｄがそれぞれ揺動して、前記第１吐出口３１ａ及び第４吐出口３１ｄが開放される。
【００１８】
このとき、それら第１吐出口３１ａ及び第４吐出口３１ｄの開放とほぼ同時に、前記マイクロプロセッサ４５は、吸入口３３から室内の空気が吸入されるように送風ファン３４を制御する。
次いで、前記送風ファン３４の揺動によって前記吸入口３３からケーシング３５の内部に吸入された空気は、室内熱交換器３０を通過しながら温度が上昇された後、前記第１吐出口３１ａ及び第４吐出口３１ｄから排出される一連の動作が反復して行なわれるので、その結果、快速暖房を行うとき、エアコンは相対的に増加された吐出力で床面まで暑い空気を排出して、室内の温度を上昇させる。
【００１９】
次いで、前記第１吐出口３１ａ及び第４吐出口３１ｄから暑い空気が吐出されてから所定時間が経過した時点で、前記マイクロプロセッサ４５は、前記第２吐出口３１ｂ及び第３吐出口３１ｃが開放されるように、第２駆動モータ４２に電源を印加し、前記第２駆動モータ４２が回転を開始すると、該第２駆動モータ４２の回転力が前記伝動ギア４２によって第２連結部材４３に伝達され、該第２連結部材４３の揺動によって前記第２吐出口３１ｂ及び第３吐出口３１ｃが開放される。
【００２０】
次いで、前記マイクロプロセッサ４５は、前記第２吐出口及び第３吐出口の開放とほぼ同時に前記第１吐出口及び第２吐出口を遮断させるために前記第１駆動モータ３７を制御する。
このとき、前記各ベーンの揺動速度は同様で、前記マイクロプロセッサ４５は、前記各ベーンの開放時、それらベーンの角度が垂直方向に対してほぼ６０°傾斜されように前記第１駆動モータ３７及び第２駆動モータ４１をそれぞれ制御する。
以下、本発明に係る天井型エアコンのベーン制御方法に対し、図５に基づいて説明する。
【００２１】
先ず、使用者により冷房モードまたは暖房モードが選択される運転モード選択段階（Ｓ１０）と、前記運転モード選択段階（Ｓ１０）で暖房モードが選択されると、現在の室内温度と予め設定された温度とを比較する段階（Ｓ２０）と、該比較結果、現在の室内温度が予め設定された温度よりも低いと、第１モータ３７に連結された１対のベーン３２ａ、３２ｄの各吐出口３１ａ、３１ｄをそれぞれ開放させ、第２モータ４１に連結された１対のベーン３２ｂ、３２ｃの各吐出口３１ｂ、３１ｃをそれぞれ遮断させることで、開放された前記各吐出口３１ａ、３１ｄから吐出気流を吐出する快速暖房が遂行される段階（Ｓ３０）と、前記快速暖房が行なわれた後、現在の室内温度と予め設定された温度とを再び比較する段階（Ｓ４０）と、その比較結果、現在の室内温度が予め設定された温度以上であると、前記快速暖房を解除し、前記各ベーン３２ａ〜３２ｄが同時に前記各吐出口３１ａ〜３１ｄを開放または遮断させる一般暖房を行う段階（Ｓ５０）と、を順次行うように構成されている。
【００２２】
且つ、前記運転モード選択段階（Ｓ１０）で冷房モードが選択された場合は、前記各ベーン３２ａ〜３２ｄが同時に前記各吐出口３１ａ〜３１ｄを開放または遮断させる一般冷房を行うためのベーン制御を行う段階（Ｓ６０）を追加行い、また、現在の室内温度と予め設定された温度とを比較する前記段階（Ｓ２０）で、現在の室内温度が予め設定された温度以上であると、前記各ベーン３２ａ〜３２ｄが同時に前記各吐出口３１ａ〜３１ｄを開放または遮断させる一般暖房を行うためのベーン制御段階（Ｓ７０）が追加行なわれる。
また、本発明に係るベーン制御方法が適用された天井型エアコンのベーン駆動パターンに対応して変化される送風ファンの速度変化に対して説明すると以下のようである。
【００２３】
本発明に係る天井型エアコンのベーン制御方法は、図６に示したように、マイクロプロセッサ４５が、各ベーン３２ａ〜３２ｄが該当の吐出口３１ａ〜３１ｄをそれぞれ開放させた状態で停止している時間よりも、前記各ベーン３２ａ〜３２ｄが該当の吐出口３１ａ〜３１ｄを遮断させた状態で停止している時間が相対的に長くなるように制御する。例えば、前記各ベーン３２ａ〜３２ｄが該当の吐出口３１ａ〜３１ｄを遮断させる位置から開放させる位置に揺動する時間及び、開放させる位置から遮断させる位置に揺動する時間をそれぞれ約５秒とし、前記各ベーン３２ａ〜３２ｄが該当の吐出口３１ａ〜３１ｄを開放させた状態で停止している時間を約１分とすると、前記各ベーン３２ａ〜３２ｄが該当の吐出口３１ａ〜３１ｄを遮断させた状態で停止している時間は、約５０秒前後になる。従って、ベーンの開閉時間中にも室内に提供される吐出気流は、常に一定に供給される。
【００２４】
また、１対の前記第１、第４ベーン３２ａ、３２ｄと他の１対の前記第２、第３ベーン３２ｂ、３２ｃとが相互反対に動作するため吐出気流の流路が減少され、よって、減少された流路を通過する前記吐出気流の速度が強化されるため、室内の床面まで暖房気流が到達される。
且つ、この場合、前記マイクロプロセッサ４５は、前記第１〜第４吐出口３１ａ〜３１ｄ中、第１連結部材３９または第２連結部材４３により連結された何れか１対のベーンが該当の吐出口を開放または遮断させる状態で、前記ベーンの揺動中、または、前記ベーンの揺動開始前の所定時間の間、前記吐出気流を生成する送風ファン３４の回転速度を所定値減少させることで、騷音を減少させるように動作される。
【００２５】
更に、１対のベーンが開放方向に揺動を開始する時点（ｔ１、ｔ３、ｔ５、ｔ７）よりも先立て前記送風ファン３４の回転速度を減速駆動し、何れか１対のベーンが該当の吐出口を完全に遮断する時点（ｔ２、ｔ４、ｔ６）に先立て前記送風ファン３４の回転速度を増大させることで、該当の吐出口が完全に遮断された時点（ｔ２、ｔ４、ｔ６）では増加された速度で運転されるように調節されるため、風速を増大させて暖房気流を床面まで到達させることができる。
【００２６】
【発明の効果】
以上説明したように、本発明に係る天井型エアコンのベーン制御装置及びその制御方法においては、第１モータ３７に連結された１対のベーン３２ａ、３２ｄにより該当の吐出口３１ａ、３１ｄをそれぞれ遮断する間、第２モータ４１に連結された他の１対のベーン３２ｂ、３２ｃが揺動して該当の吐出口３１ｂ、３１ｃをそれぞれ開放するように構成されているため、吐出気流の速度が増大して吐出気流が床面まで速かに到達され、且つ、ベーンの揺動中またはベーンの揺動開始前の所定時間の間、吐出気流を生成する送風ファン３４の回転速度を所定値減少させることで騷音を減少させると共に、所定時間が経過すると、ベーンによる吐出口の遮断及び開放動作を反対に制御することで、室内の全体床面の温度を均一に上昇し得るという効果がある。
【図面の簡単な説明】
【図１】本発明に係る天井型エアコンのベーン制御装置を示した縦断面図である。
【図２】図１の平断面図である。
【図３】図２のベーン駆動部を示した拡大図である。
【図４】本発明に係る天井型エアコンのベーン制御装置を示したブロック図である。
【図５】本発明に係る天井型エアコンのベーン制御方法を示したフローチャートである。
【図６】本発明に係る天井型エアコンのベーン駆動パターンに対応して変化する送風ファンの速度変化を示した波形図である。
【図７】従来のエアコンの冷凍サイクルの構成要素を示した概略構成図である。
【図８】従来の天井型エアコンの室内器の構成を示した概略平面図である。
【符号の説明】
３０…室内熱交換器
３１ａ〜３１ｄ…吐出口
３２ｂ〜３２ｄ…第１〜第４ベーン
３３…吸入口
３４…送風ファン
３５…ケーシング
３６、４０…第１、第２ベーン駆動部
３７、４１…第１、第２モータ
３８、４２…伝動ギア
３９、４３…第１、第２連結部材
４４…運転モード選択部
４５…マイクロプロセッサ
【図１】
0004170676.tif 000002
【図２】
0004170676.tif 000003
【図３】
0004170676.tif 000004
【図４】
0004170676.tif 000005
【図５】
0004170676.tif 000006
【図６】
0004170676.tif 000007
【図７】
0004170676.tif 000008
【図８】
0004170676.tif 000009